(57)【要約】【課題】  換気機能の構成に関わらず、汎用性の高いコーナー用化粧カバーを提供する。【解決手段】  壁２の貫通孔３を通して壁外面２ａに沿う姿勢で導出された配管類１Ａの屈曲部分１ａを覆う状態で壁外面２ａに固定されるコーナーカバー５において、貫通孔３に相対向する天井壁部５Ａに換気用配管１Ｂ，１Ｃが挿通可能な大きさの換気口Ｍを形成するとともに、その換気口Ｍに相対向する位置に、換気口Ｍと連通する複数の通気孔６を形成した蓋部５Ｂを設けているコーナー用化粧カバーであって、蓋部５Ｂのうち、少なくとも換気用配管１Ｂ，１Ｃを挿通可能な大きさの特定部位５ｄの周囲に、この特定部位５ｄを他の部位５Ｇ，５Ｈ，５ａから分離するための分離指標部５ｅを形成する。【選択図】        図３
2006090462.tif 000002
【特許請求の範囲】
【請求項１】
壁の貫通孔を通して壁外面に沿う姿勢で導出された配管類の屈曲部分を覆う状態で壁外面に固定されるコーナーカバーにおいて、貫通孔に相対向する天井壁部に換気用配管が挿通可能な大きさの換気口を形成するとともに、その換気口に相対向する位置に、前記換気口と連通する複数の通気孔を形成した蓋部を設けているコーナー用化粧カバーであって、
前記蓋部のうち、少なくとも換気用配管を挿通可能な大きさの特定部位の周囲に、この特定部位を他の部位から分離するための分離指標部が形成されているコーナー用化粧カバー。
【請求項２】
前記分離指標部が、これに連続する特定部位又は他の部位よりも機械的強度の低い脆弱部に構成されている請求項１記載のコーナー用化粧カバー。
【請求項３】
前記蓋部には、複数の特定部位に区画形成する桟部が形成され、各特定部位の外周縁と桟部との境界箇所に前記分離指標部が形成されている請求項１又は２記載のコーナー用化粧カバー。
【請求項４】
壁の貫通孔を通して壁外面に沿う姿勢で導出された配管類の屈曲部分を覆う状態で壁外面に固定されるコーナーカバーにおいて、貫通孔に相対向する天井壁部に換気用配管が挿通可能な大きさの換気口を形成するとともに、その換気口に相対向する位置に、前記換気口と連通する複数の通気孔を形成した蓋部を設けているコーナー用化粧カバーであって、
前記蓋部のうち、少なくとも換気用配管を挿通可能な大きさの特定部位の周囲に、この特定部位をそれに対応する換気口の一部又は全部を開放する状態に開き操作可能な開き手段が設けられているコーナー用化粧カバー。
【請求項５】
前記蓋部には、複数の特定部位に区画形成する桟部が形成され、各特定部位の外周縁と桟部との境界箇所に前記開き手段が設けられている請求項４記載のコーナー用化粧カバー。
【請求項６】
前記開き手段が、特定部位を他の部位に対して脱着する脱着手段である請求項４又は５記載のコーナー用化粧カバー。
【請求項７】
前記開き手段が、特定部位を他の部位に対して換気口の中心方向に折り曲げ可能な状態で特定部位と他の部位とを連結する連結部である請求項４又は５記載のコーナー用化粧カバー。
【請求項８】
前記コーナーカバーの天井壁部の外面側に、二方向に向かってほぼＬ字状に開口し、かつ、一端側の開口と換気口とに亘る状態で天井壁部の外面との間に換気通路を形成する換気カバーが脱着自在に装着されているとともに、
前記換気通路が、前記換気用配管の先端側部分をほぼＬ字状に折り曲げた状態で挿入配置可能な大きさに形成されている請求項１〜７のいずれか１項に記載のコーナー用化粧カバー。
【請求項９】
前記換気カバーが、前記蓋部の中心を回転軸心として前記コーナーカバーに対し相対回転自在に装着されているとともに、
前記換気カバーと前記コーナーカバーとを回転軸心上において固定する固定手段が設けられている請求項８記載のコーナー用化粧カバー。
【請求項１０】
前記コーナーカバーに対して前記換気カバーを所定の装着姿勢に保持する保持手段が設けられている請求項８又は９記載のコーナー用化粧カバー。
【請求項１１】
前記保持手段が、前記蓋部の外周面の周方向に複数形成された係止部と、前記換気カバーの内周面における蓋部の外周面との接当部分に単数又は複数形成された係止部とが、前記回転軸芯周りの回転軌跡上において選択的に係合することによって、コーナーカバーに対して換気カバーを前記回転軸芯周りにおける複数の装着姿勢で選択的に係止保持する構成にしている請求項１０記載のコーナー用化粧カバー。
【発明の詳細な説明】
【技術分野】
【０００１】
本発明は、換気機能を備えた空調用室内ユニットと空調用室外ユニットとの間に配設される冷媒管やドレンホース、換気ホース、電気配線等の配管類を室外側で覆う化粧カバー処理技術に関し、詳しくは、壁の貫通孔を通して壁外面に沿う姿勢で導出された配管類の屈曲部分を覆う状態で壁外面に固定されるコーナーカバーにおいて、貫通孔に相対向する天井壁部に換気用配管が挿通可能な大きさの換気口を形成するとともに、その換気口に相対向する位置に、前記換気口と連通する複数の通気孔を形成した蓋部を設けているコーナー用化粧カバーに関する。
【背景技術】
【０００２】
従来のコーナー用化粧カバーのコーナーカバーは、冷媒管やドレンホース等の配管類を通す壁の貫通孔に対して相対向するコーナーカバーの天井壁部に換気口を形成するとともに、その換気口に相対向する位置に多数の通気用のスリットを形成した防虫用の蓋部をコーナーカバーに一体的に形成しており、自然換気又は強制換気により室内換気を行うのに、そのコーナーカバーを、配管類と共に貫通孔に通した換気用配管の先端側部分を、換気用配管の先端側開口がコーナーカバーの換気口に相対向する姿勢で内部に収容するように配設して、前記蓋部のスリットを通じて自然的に又は強制的に室内換気を行うようにしていた（例えば、特許文献１又は特許文献２参照。）。
【特許文献１】特許第３２８０５７９号公報
【特許文献２】特開２０００−１７１０５５
【発明の開示】
【発明が解決しようとする課題】
【０００３】
しかしながら、従来のコーナー用化粧カバーのコーナーカバーでは、自然換気によって室内を換気する空調設備である場合、給排気の流れが穏やかであるため、コーナーカバーの天井壁部の換気口に相対向する位置に、多数の通気用のスリットを有する蓋部が設けられていても、その蓋部が通気に対する大きな抵抗にならずに換気することができるが、強制換気によって室内を換気する空調設備である場合は、換気ファン等により強制的に室内空気の給気又は排気を行うため、蓋部に通気用のスリットを多数形成していても、蓋部が通気に対する大きな抵抗となるため、効率的に給気又は排気することができず、換気ファン等の換気装置に大きな負荷がかかる恐れがあった。
【０００４】
また、換気用配管として外気を室内に取り入れるための給気用配管と室内空気を外部に排出するための排気用配管の両方を備えた強制換気の構造の空調設備において、上記の従来のコーナー用化粧カバーのコーナーカバーを用いると、給気用配管と排気用配管との両方の先端側部分がコーナーカバー内部に収容され、給気及び排気がコーナーカバー内で行われることとなり、この状態で強制換気が行われると、蓋部が通気に対する抵抗となって、排気用配管から強制的にコーナーカバー内に排出された室内空気が効率的にスリットを通じて排出されず、コーナーカバー内に排出された室内空気を給気用配管から短絡的に給気することとなってしまう（つまり、効果的に換気がされず同じ空気が循環してしまう）恐れがあった。
【０００５】
そのため、給気用配管と排気用配管との両方を備えた強制換気構造の空調設備では、壁に換気用配管用の貫通孔を、配管類を通す貫通孔とは別に穿設して、給気用配管と排気用配管とを離間させて配設していた。
【０００６】
上記の問題を鑑みて、本発明の目的は、自然換気機能を備えた空調設備並びに強制換気機能を備えた空調設備の両方における様々な換気構造に対応して使用することができる汎用性の高いコーナー用化粧カバーを提供する点にある。
【課題を解決するための手段】
【０００７】
本発明の第１特徴構成は、コーナー用化粧カバーに係り、その特徴は、
壁の貫通孔を通して壁外面に沿う姿勢で導出された配管類の屈曲部分を覆う状態で壁外面に固定されるコーナーカバーにおいて、貫通孔に相対向する天井壁部に換気用配管が挿通可能な大きさの換気口を形成するとともに、その換気口に相対向する位置に、前記換気口と連通する複数の通気孔を形成した蓋部を設けているコーナー用化粧カバーにおいて、
前記蓋部のうち、少なくとも換気用配管を挿通可能な大きさの特定部位の周囲に、この特定部位を他の部位から分離するための分離指標部が形成されている点にある。
【０００８】
つまり、この構成であれば、分離指標部に沿って特定部位を他の部位から分離するだけで、蓋部に換気用配管を挿通可能な大きさの換気口を開放する開口を容易に形成することができるので、強制換気により換気を行う空調設備において、分離指標部に沿って特定部位を他の部位から分離して開口を形成し、換気用配管の先端側部分をその開口に挿通させてコーナーカバーの外部に位置させることで、容易にかつ確実に蓋部が通気に対する抵抗になることを回避することができ、換気ファン等の換気装置に負荷をかけることなく効率的に換気することができる。
【０００９】
また、換気用配管として給気用配管及び排気用配管の両方を備えている場合、分離指標部に沿って特定部位を他の部位から分離して開口を形成し、その開口に給気用配管と排気用配管のいずれか一方又は両方の先端側部分を挿通させることで、確実に給気用配管から外気を取り入れ、排気用配管から室内空気を排出することができ、これによって、配管類を通す貫通孔とは別の貫通孔の穿設が不要になるとともに、排気用配管から送出された室内空気が短絡的に給気用配管を通じて室内に再供給されることを極力抑制することができ、室内の換気を効果的に行うことができる。
【００１０】
なお、自然換気構造の空調設備において、換気用配管の先端側部分を、特定部位を他の部位から分離させることで蓋部に形成した開口を挿通させて、コーナーカバーの外部に位置するようにすれば、確実に外気を給排することができ、自然換気においてもより効果的に換気することができる。
【００１１】
すなわち、このような構成であれば、空調設備の換気機能が自然換気であっても強制換気であっても、その換気機能の能力を低下させずに対応させて使用することができて、コーナー用化粧カバーとしては汎用性の高いものにすることができるとともに、強制換気における換気装置への負荷を軽減することができる。
【００１２】
本発明の第２特徴構成は、第１特徴構成の実施において好適な構成であり、その特徴は、
前記分離指標部が、これに連続する特定部位又は他の部位よりも機械的強度の低い脆弱部に構成されている点にある。
【００１３】
つまり、この構成であれば、分離指標部がそれと連続する特定部位又は他の部位よりも機械的強度の低い脆弱部に形成してあるので、特定部位を他の部位から容易に分離させることができ、換気用配管を挿通させる開口を形成する特定部位の分離作業に手間がかからず利便性がよい。
【００１４】
本発明の第３特徴構成は、第１又は第２特徴構成の実施において好適な構成であり、その特徴は、
前記蓋部には、複数の特定部位に区画形成する桟部が形成され、各特定部位の外周縁と桟部との境界箇所に前記分離指標部が形成されている点にある。
【００１５】
つまり、この構成であれば、複数の特定部位を他の部位から分離させると、桟部が残って換気口を各々が換気用配管を挿通可能な大きさの複数の開口に分割した状態で開放されるので、強制換気構造で換気用配管として給気用配管及び排気用配管の両方が備えられている場合、それら両配管を各別の開口に挿通させることができ、これによって、残った桟部により換気用配管の各々を保持する形態となり、配管の位置ズレや強制排気する際の振動による騒音の発生等を防止することができる。
【００１６】
また、複数の特定部位を選択的に分離させることができるので、特定部位を他の部位から分離させることで形成する開口の位置を、その開口に挿通させる配管位置に対応させて形成することができる。
【００１７】
本発明の第４特徴構成は、コーナー用化粧カバーに係り、その特徴は、
壁の貫通孔を通して壁外面に沿う姿勢で導出された配管類の屈曲部分を覆う状態で壁外面に固定されるコーナーカバーにおいて、貫通孔に相対向する天井壁部に換気用配管が挿通可能な大きさの換気口を形成するとともに、その換気口に相対向する位置に、前記換気口と連通する複数の通気孔を形成した蓋部を設けているコーナー用化粧カバーにおいて、
前記蓋部のうち、少なくとも換気用配管を挿通可能な大きさの特定部位の周囲に、この特定部位をそれに対応する換気口の一部又は全部を開放する状態に開き操作可能な開き手段が設けられている点にある。
【００１８】
つまり、この構成であれば、蓋部の特定部位の周囲に設けられた開き手段を開き操作するだけで、換気口の一部又は全部を開放して換気用配管を挿通可能な大きさの開口を蓋部に形成した状態にすることができるので、強制換気により換気を行う空調設備において、開き手段を開き操作して開口を形成し、換気用配管の先端側部分をその開口に挿通させてコーナーカバーの外部に位置させることで、容易にかつ確実に蓋部が通気に対する抵抗になることを回避することができ、換気ファン等の換気装置に負荷をかけることなく効率的に換気することができる。
【００１９】
また、換気用配管として給気用配管及び排気用配管の両方を備えている場合、開き手段を開き操作して開口を形成し、その開口に給気用配管と排気用配管のいずれか一方又は両方の先端側部分を挿通させることで、確実に給気用配管から外気を取り入れ、排気用配管から室内空気を排出することができ、これによって、配管類を通す貫通孔とは別の貫通孔の穿設が不要になるとともに、排気用配管から送出された室内空気が短絡的に給気用配管を通じて室内に再供給されることを極力抑制することができ、室内の換気を効果的に行うことができる。
【００２０】
また、配管挿通可能な大きさの開口を形成するのに、ニッパー等の工具類を使用することなく、開き操作するだけで容易に形成することができるので、前記した分離指標部を設けた構成に比べてより一層利便性がよい。
【００２１】
なお、自然換気構造の空調設備において、換気用配管の先端側部分を、開き手段を開き操作することで蓋部に形成した開口を挿通させて、コーナーカバーの外部に位置するようにすれば、確実に外気を給排することができ、自然換気においてもより効果的に換気することができる。
【００２２】
すなわち、このような構成であれば、空調設備の換気機能が自然換気であっても強制換気であっても、その換気機能の能力を低下させずに容易に対応させて使用することができて、コーナー用化粧カバーとしては汎用性の高いものにすることができるとともに、強制換気における換気装置への負荷を軽減することができる。
【００２３】
本発明の第５特徴構成は、第４特徴構成の実施において好適な構成であり、その特徴は、
前記蓋部には、複数の特定部位に区画形成する桟部が形成され、各特定部位の外周縁と桟部との境界箇所に前記開き手段が設けられている点にある。
【００２４】
つまり、この構成であれば、換気口を開放するように複数の特定部位の周囲の開き手段を開き操作すると、桟部が残って換気口を各々が換気用配管を挿通可能な大きさの複数の開口に分割した状態で開放されるので、強制換気構造で換気用配管として給気用配管及び排気用配管の両方が備えられている場合、それら両配管を各別の開口に挿通させることができ、これによって、残った桟部により換気用配管の各々を保持する形態となり、配管の位置ズレや強制排気する際の振動による騒音の発生等を防止することができる。
【００２５】
また、複数の特定部位から選択的にそれの開き手段を開き操作して換気口を開放する開口を形成した状態にすることができるので、開口の位置をその開口に挿通させる配管位置に対応させて形成することができる。
【００２６】
本発明の第６特徴構成は、第４又は第５特徴構成の実施において好適な構成であり、その特徴は、
前記開き手段が、特定部位を他の部位に対して脱着する脱着手段である点にある。
【００２７】
つまり、この構成であれば、脱着手段により特定部位を他の部位から脱着させることで換気口の一部又は全部を開放することができるので、特定部位を他の部位から取り外すことで容易に換気用配管を挿通可能な大きさの開口を形成することができて、換気用配管を挿通させるために換気口を開放する開き作業に手間がかからず利便性がよく、また、開口を形成する箇所を誤った際にも、その取り外した特定部位を再び他の部位に対して取り付けることもできるので、より一層利便性が向上する。
【００２８】
本発明の第７特徴構成は、第４又は第５特徴構成の実施において好適な構成であり、その特徴は、
前記開き手段が、特定部位を他の部位に対して換気口の中心方向に折り曲げ可能な状態で特定部位と他の部位とを連結する連結部である点にある。
【００２９】
つまり、この構成であれば、特定部位を他の部位に対して中心方向に折り曲げるだけで換気口の一部又は全部を開放することができるように構成してあるので、その構造が非常に簡素で、製造コストを低廉化することができるとともに、容易に換気用配管を挿通させるために換気口を開放する開き作業を行うことができ、手間がかからず利便性がよい。
【００３０】
本発明の第８特徴構成は、第１〜第７特徴構成のうちいずれか１つの特徴構成の実施において好適な構成であり、その特徴は、
前記コーナーカバーの天井壁部の外面側に、二方向に向かってほぼＬ字状に開口し、かつ、一端側の開口と換気口とに亘る状態で天井壁部の外面との間に換気通路を形成する換気カバーが脱着自在に装着されているとともに、
前記換気通路が、前記換気用配管の先端側部分をほぼＬ字状に折り曲げた状態で挿入配置可能な大きさに形成されている点にある。
【００３１】
つまり、この構成であれば、換気通路が換気用配管の先端側部分をほぼＬ字状に折り曲げた状態で挿入配置可能な大きさに形成されているので、換気口を通じてコーナーカバーの外部に露出させた換気用配管の先端側部分を換気カバーの一端側開口に向けた状態に折り曲げることができ、これによって、室内空気と外気との換気をより確実に行うことができる。
【００３２】
本発明の第９特徴構成は、第８特徴構成の実施において好適な構成であり、その特徴は、
前記換気カバーが、前記蓋部の中心を回転軸心として前記コーナーカバーに対し相対回転自在に装着されているとともに、
前記換気カバーと前記コーナーカバーとを回転軸心上において固定する固定手段が設けられている点にある。
【００３３】
換気カバーは、コーナーカバーの蓋部に形成されている通気孔を通じてコーナーカバー内に雨水や虫等が進入するのを防ぐためのものであり、そのため、換気カバーはコーナーカバーに対して、それの一端側開口を最も雨水や虫等が進入し難い方向に向く姿勢で装着される。
つまり、この構成であれば、壁に沿って配設される冷媒管やドレン管等の可撓性配管の配設方向が横方向、縦方向或いは斜め方向であっても、それら可撓性配管を覆うコーナーカバーに対して換気カバーを一端側開口が所定の方向に向く姿勢で装着することができるので、コーナー用化粧カバーとしての汎用性が向上し、また、固定手段によって換気カバーとコーナーカバーとを回転軸心上において固定するので、複数箇所で換気カバーとコーナーカバーとを固定していた従来例に比べ、コーナーカバーに対する換気カバーの装着姿勢の変更が容易となる。
【００３４】
本発明の第１０特徴構成は、第８又は第９特徴構成の実施において好適な構成であり、その特徴は、
前記コーナーカバーに対して前記換気カバーを所定の装着姿勢に保持する保持手段が設けられている点にある。
【００３５】
つまり、この構成であれば、コーナーカバーに対して一端側開口が所定の方向に向く姿勢で装着した換気カバーを、保持手段によってその装着姿勢で保持することができるので、風等の外力によって換気カバーがコーナーカバーに対して相対回転することを防止できる。
【００３６】
本発明の第１１特徴構成は、第１０特徴構成の実施において好適な構成であり、その特徴は、
前記保持手段が、前記蓋部の外周面の周方向に複数形成された係止部と、前記換気カバーの内周面における蓋部の外周面との接当部分に単数又は複数形成された係止部とが、前記回転軸心周りの回転軌跡上において選択的に係合することによって、コーナーカバーに対して換気カバーを前記回転軸芯周りにおける複数の装着姿勢で選択的に係止保持する構成にしている点にある。
【００３７】
つまり、この構成であれば、保持手段が、蓋部の外周面の周方向の複数箇所と、換気カバーの内周面における蓋部の外周面との接当部分とにそれぞれが係合する係止部から構成されているので、それら両係止部を回転軸心の回転軌跡上で選択的に係合させるだけで、容易に換気カバーをコーナーカバーに対して所定の装着姿勢に装着保持させることができるとともに、簡単な保持構造なので低コストで製作することができる。
【発明を実施するための最良の形態】
【００３８】
〔第１実施形態〕
図１〜図９は、換気機能を備えた空調用室内ユニットと空調用室外ユニットとの間に配設される冷媒管やドレンホース、電気配線等の可撓性の配管類１Ａ及び換気用配管である給気ホース１Ｂ及び排気ホース１Ｃを室外側で覆うコーナー用化粧カバーの第１実施形態を示し、壁２の貫通孔３に装着されたスリーブ４を通して壁外面２ａに沿う姿勢で導出された可撓性配管類１Ａの屈曲部分１ａを覆う筒状の合成樹脂製のコーナーカバー５のうち、貫通孔３に相対向する天井壁部５Ａに給気ホース１Ｂ及び排気ホース１Ｃが挿通可能な換気口Ｍを形成するとともに、その換気口Ｍに相対向する位置に多数のスリット状の通気孔６を形成した蓋部５Ｂが換気口Ｍの周縁部５ａと一体的に形成されている。
【００３９】
空調室内ユニット（図示せず）には、室内空気と外気とを強制的に換気する強制換気手段（図示せず）が設けられていて、その強制換気手段に、外気を室内に取り入れるための給気ホース１Ｂと、室内空気を室外に排出するための排気ホース１Ｃとを接続しているとともに、それら給気ホース１Ｂ及び排気ホース１Ｃの室外側の先端側部分には、防虫キャップＣが装着されている。
【００４０】
コーナーカバー５において、壁外面２ａに沿って配設される別の直管状の合成樹脂製の配管カバー１０の一端部が嵌合状態で接続端部５Ｆに差し込み接続されていて、その配管カバー１０によって壁外面２ａに沿う姿勢で配設されている可撓性配管類１Ａを保護している。
【００４１】
コーナーカバー５の天井壁部５Ａの外面には、二方向に向かってほぼＬ字状に開口する開口部７ａ，７ｂを有し、かつ、使用形態では下方側に配置される一端側の開口７ｂと蓋部５Ｂの通気孔６とに亘る状態で天井壁部５Ａの外面との間に、給気ホース１Ｂ及び排気ホース１Ｃの先端側部分をほぼＬ字状に折り曲げた状態で挿入配置可能な大きさの換気通路８を形成する合成樹脂製の換気カバー７が脱着自在に装着され、更に、コーナーカバー５とそれに対して幅方向中央位置を通る中心線同士が合致した正規姿勢で装着された換気カバー７の一端部側との相対向する部位には、換気カバー７の両側壁部７Ａの幅方向外方への弾性変形を阻止する変形規制手段Ａが設けられている。
【００４２】
コーナーカバー５には、壁外面２ａに当て付けられるフランジ部５Ｄと底壁部５Ｅとが形成されていて、それらフランジ部５Ｄ及び底壁部５Ｅには、壁外面２ａに取付けるためのビス１１用の挿通孔１２が貫通形成されている。
【００４３】
コーナーカバー５の天井壁部５Ａのうち、前端から接続端部５Ｆの近くまで亘る範囲の部分５ｂが、接続端部５Ｆよりも壁外面２ａから離れる側に隆起形成され、この隆起形成された天井壁部分５ｂのうち、貫通孔３に相対向する部位には、正円状の換気口Ｍが形成されているとともに、その換気口Ｍの換気口周縁部５ａの外面側には、多数のスリット状の通気孔６が形成されている正円筒状の蓋部５Ｂが一体的に先端面側に突出形成されている。
【００４４】
そして、蓋部５Ｂの換気口周縁部５ａの外周面５ｃには、コーナーカバー５に装着される換気カバー７の内周面に設けられた係合凸部Ｐと係合して、コーナーカバー５に対する換気カバー７の装着姿勢を保持する係合凹部Ｑが蓋部５Ｂの換気口周縁部５ａの外周面５ｃにおける周方向の８箇所に等間隔で形成されている。
【００４５】
蓋部５Ｂは、換気口Ｍの上を十字状に架け渡る状態で形成された縦桟部５Ｇ及び横桟部５Ｈと換気口周縁部５ａとによって形成される４つの小開口ｍを、多数の通気孔６を形成した４つの扇形状の蓋片５ｄによって閉塞する形態で一体的に形成され、各蓋片５ｄは５つの連結部５ｅによって横桟部５Ｈと換気口周縁部５ａとに連結されているとともに、それら４つの小開口ｍはそれぞれ、給気ホース１Ｂ又は排気ホース１Ｃが挿通可能な大きさに形成されている。
【００４６】
連結部５ｅは、各蓋片５ｄの外周縁と、蓋部５の横桟部５Ｈ及び換気口周縁部５ａとの間に通気孔６の形成ピッチの倍以上の大きなピッチで設けられ、各蓋片５ｄの外周に沿って散在する少数の連結部５ｅ及びそれらの隣接間に形成される比較的長いスリットとによって、各蓋片５ｄとその周辺とを視覚的に明確に区別する状態でニッパー等の人為切断操作具の刃体を差し入れ可能な分離境界ラインが形成されることになり、この分離境界ラインを形成する蓋部５の縦桟部５Ｇ、横桟部５Ｈ及び換気口周縁部５ａをもって各蓋片５ｄを分離するための分離指標部が構成されている。
【００４７】
５つの連結部５ｅのうち、横桟部５Ｈと連結する２つの連結部５ｅは、蓋片５ｄ、縦桟部５Ｇや横桟部５Ｈ等の蓋部５Ｂにおける他の部位よりも厚みを薄くして機械的強度の低い脆弱部ｗに形成されており、更に、この脆弱部ｗに形成された連結部５ｅのうち、図６に示すように、換気口側に臨む側面には、幅方向の中央部分ほど薄身となる横断面形状がＶ字状の溝が形成されていて、そのＶ字状溝の中央位置に人為切断操作具の刃体を案内して容易に切断分離できるように形成されている。
【００４８】
換気カバー７の両側壁部７Ａの内面間寸法は、蓋部５Ｂの直径と同一又は僅かに小に構成され、換気カバー７の前壁部７Ｂは、円筒形の蓋部５Ｂと摺接状態で嵌合可能な曲率の半円弧状に形成されているとともに、換気カバー７の内周面における前壁部７Ｂの中央位置に、コーナーカバー５の蓋部５Ｂの外周面５ｃに形成されている係合凹部Ｑと係合して、換気カバー７のコーナーカバー５に対する装着姿勢を保持する係合凸部Ｐが形成されていて、図９の（イ）に示すように、コーナーカバー５と換気カバー７とが同じ向き姿勢にあるときを正規装着姿勢としたとき、詳しくは、コーナーカバー５と換気カバー７との幅方向中央位置を通る中心線同士が合致し、かつ、換気カバー７の一端側の開口７ｂがコーナーカバー５の接続端部５Ｆ側に位置するときを正規装着姿勢としたとき、図９の（ロ）に示すように、蓋部５Ｂの中心を回転軸心Ｘとしてコーナーカバー５に対して換気カバー７を左側に４５度向き変更した第２装着姿勢と、図９の（ハ）に示すように、蓋部５Ｂの中心を回転軸心Ｘとしてコーナーカバー５に対して換気カバー７を左側に９０度向き変更した第３装着姿勢と、図９の（ニ）に示すように、蓋部５Ｂの中心を回転軸心Ｘとしてコーナーカバー５に対して換気カバー７を左側に１３５度向き変更した第４装着姿勢と、図９の（ホ）に示すように、蓋部５Ｂの中心を回転軸心Ｘとしてコーナーカバー５に対して換気カバー７を右側に４５度向き変更した第５装着姿勢と、図９の（へ）に示すように、蓋部５Ｂの中心を回転軸心Ｘとしてコーナーカバー５に対して換気カバー７を右側に９０度向き変更した第６装着姿勢と、図９の（ト）に示すように、蓋部５Ｂの中心を回転軸心Ｘとしてコーナーカバー５に対して換気カバー７を右側に１３５度向き変更した第７装着姿勢と、図９の（チ）に示すように、蓋部５Ｂの中心を回転軸心Ｘとしてコーナーカバー５に対して換気カバー７を１８０度向き変更した第８装着姿勢とに選択的に装着姿勢を変更自在に構成されている。
【００４９】
それ故に、コーナーカバー５の取付け姿勢が、配管条件によって如何なる姿勢になっても、換気カバー７をそれの一端側の開口７ｂが最も雨水や虫等が進入し難い方向に向く姿勢に開口する状態で装着することができる。
【００５０】
そのため、換気カバー７には、コーナーカバー５と換気カバー７とを蓋部５Ｂの中心で締付け固定するためのビス１３に対する挿通孔１４を備えた取付け凹部７Ｃが形成されているとともに、蓋部５Ｂの縦桟部５Ｇと横桟部５Ｈとの交点である蓋部５Ｂの先端面の中心位置には、上述の８つの装着姿勢で選択的に締付け固定するためのビス止め用筒部５ｆが一体的に突出形成されており、これらビス１３、取付け凹部７Ｃ及びビス止め用筒部５ｆから固定手段が構成されている。
【００５１】
換気カバー７のうち、コーナーカバー側開口７ａと相対向する天井壁部７Ｄには、換気カバー７内の換気通路８に連通する複数のスリット状の第２換気孔１５が貫通形成されているとともに、その第２換気孔１５の一端側開口７ｂ側の端縁からコーナーカバー５に向かって突出する突出壁１６が一体形成されている。
【００５２】
そのため、換気カバー７を、それの第２換気孔１５と一端側開口７ｂとが上下に位置する縦向き姿勢でコーナーカバー５に装着することにより、高い換気性能を確保しながらも、第２換気孔１５から入り込んだ雨水がコーナーカバー５の通気孔６内に浸入することを、天井壁部７Ｄの内面に形成した突出壁１６によって抑制することができる。
【００５３】
そして、蓋部５Ｂにおいて、２つの蓋片５ｄを切断除去することで形成した２つの小開口ｍのそれぞれに挿通させた給気ホース１Ｂ及び排気ホース１Ｃの先端側部分は、換気カバー７により形成された換気通路８内において、ほぼＬ字状に折り曲げて換気カバー７の一端側開口７ｂに向かう状態で配置される。
【００５４】
また、コーナーカバー５を自然換気を行う空調室内ユニットに用いる場合、図２に示すように、蓋片５ｄを分離させずに使用することができるので、本発明のコーナーカバー５は、換気機能が強制換気手段によるものであっても、自然換気によるものであっても対応して使用することができる。
【００５５】
コーナーカバー５の天井壁部５Ａの隆起代が、これから外面側に一体的に突出形成される通気孔６を備えた蓋部５Ｂの突出代とほぼ同一又はそれよりも大に構成されていて、このコーナーカバー５の天井壁部５Ａの隆起代と蓋部５Ｂの突出代とにより、壁外面２ａから蓋部５Ｂの通気孔６までの距離が大きくなるから、壁２の貫通孔３から壁外面２ａ側に導出された可撓性配管類１Ａの屈曲部分１ａにおける折り曲げ許容範囲が拡大し、配管作業の容易化、能率化を促進することができる。
【００５６】
更に、換気カバー７の取付け凹部７Ｃの内面には、蓋部５Ｂの先端面の中心位置に形成されたビス止め用筒部５ｆの外周面に対して筒径方向から摺接する半円筒状のガイド突起７Ｅが、ビス止め用挿通孔１４の外縁に沿って一体的に突出形成されていて、このガイド突起７Ｅとビス止め用筒部５ｆとをもって、蓋部５Ｂの先端面と換気カバー７の天井壁部７Ｄとの相対向する部位において、コーナーカバー５に対して換気カバー７が何れかの装着姿勢で装着されたとき、その装着方向から互いに摺接して仮止め固定する装着ガイド部１７が構成されている。
【００５７】
変形規制手段Ａは、換気カバー７の両側壁部７Ａの一端部側に形成された下向き開口のＶ字状の凹部１８と、コーナーカバー５の天井壁部５Ａの幅方向両側に突出形成された板片状の凸部１９とから構成されている。
【００５８】
そして、コーナーカバー５の両凸部１９に対して換気カバー７の両側壁部７ＡのＶ字状凹部１８を係合させた状態では、換気カバー７の天井壁部７Ｄに外力が加えられても、換気カバー７の両側壁部７Ａの一端部側が幅拡大側に弾性変形することはない。それ故に、換気カバー７の両側壁部７Ａとコーナーカバー５の天井壁部５Ａとの相対向する部位に係合自在な凹凸部１８，１９を形成するだけの簡単な改造により、シュリンク包装時に、換気カバー７の両側壁部７Ａの一端部側が幅拡大側に弾性変形してコーナーカバー５の天井壁部５Ａから落ち込むことに起因する割れ等の発生を防止することができる。
【００５９】
〔第２実施形態〕
図１０は、蓋部５Ｂのうち、少なくとも給気ホース１Ｂ又は排気ホース１Ｃを挿通可能な大きさの特定部位である各蓋片５ｄの周囲に、この各蓋片５ｄをそれに対応する換気口Ｍの一部又は全部を開放する状態に開き操作可能な開き手段Ｂの実施形態を示し、蓋部５Ｂの各蓋片５ｄと横桟部５Ｈとを連結する連結部５ｅの換気口側に臨む側面には、幅方向の中央部分ほど薄身となる横断面形状がＶ字状の溝が形成されている（図６参照。）。
【００６０】
そして、蓋部５Ｂにおいて、換気口Ｍの上を十字状に架け渡る状態で形成された縦桟部５Ｇ及び横桟部５Ｈと換気口周縁部５ａとによって形成される４つの小開口ｍを、多数の通気孔６を形成した４つの扇形状の蓋片５ｄで閉塞するのに、それら各蓋片５ｄを２つの連結部５ｅによって横桟部５Ｈに連結された状態で一体形成されており、このように連結部５ｅを構成することで、容易に各蓋片５ｄが横桟部５Ｈに対して換気口Ｍの中心方向に折り曲げが容易にできる開き手段Ｂとなり、各蓋片５ｄを横桟部５Ｈに対して繰り返して屈曲操作することにより、連結部５ｅで破断分離することもできる。
【００６１】
尚、その他の構成は、第１実施形態で説明した構成と同一であるから、同一の構成箇所には、第１実施形態と同一の番号を付記してそれの説明は省略する。
【００６２】
〔第３実施形態〕
図１１、図１２は、蓋部５Ｂのうち、少なくとも給気ホース１Ｂ又は排気ホース１Ｃを挿通可能な大きさの特定部位である各蓋片５ｄの周囲に、この各蓋片５ｄをそれに対応する換気口Ｍの一部又は全部を開放する状態に開き操作可能な開き手段Ｂの別実施形態であるである脱着手段を示し、蓋部５Ｂの縦桟部５Ｇ及び横桟部５Ｈの一方側の横面に蓋部５Ｂの径方向に沿う摺動可能なアリ溝５ｇが形成されているとともに、そのアリ溝５ｇに対して摺動自在に係合する突起部５ｈが各蓋片５ｄの周縁部における２つの弦側面のうち一方の弦側面に形成されている。
【００６３】
そして、蓋片５ｄの突起部５ｈを縦桟部５Ｇ及び横桟部５Ｈのアリ溝５ｇに対して蓋部５Ｂの径方向外方からスライド送入して、蓋部５Ｂの小開口ｍを閉じるように配置するとともに、そのアリ溝５ｇと突起部５ｈとの各々に掛止凹部Ｓ１と掛止凸部Ｓ２が設けられていて、それら掛止凹部Ｓ１と掛止凸部Ｓ２とが、蓋片５ｄがアリ溝５ｇに沿って所定の閉じ位置にスライド移動したとき弾性変形しながら係合することで、各蓋片５ｄがコーナーカバー５の換気口Ｍを閉じた状態で保持することができる。
【００６４】
また、蓋片５ｄに一定以上の抜き出し操作力が付与されたとき、掛止凹部Ｓ１と掛止凸部Ｓ２との係合が解除される。
【００６５】
尚、その他の構成は、第１実施形態で説明した構成と同一であるから、同一の構成箇所には、第１実施形態と同一の番号を付記してそれの説明は省略する。
【００６６】
〔別実施形態〕
次に別実施形態を列記する。
【００６７】
上述の第１、第２及び第３実施形態では、コーナーカバー５の蓋部５Ｂの換気口周縁部５ａの輪郭形状が正円状で、それに装着される換気カバー７の前壁部７Ｂの内周面が半円弧状に形成されていたが、これらの形状に限るものではなく、蓋部５Ｂの換気口周縁部５ａの輪郭形状と換気カバー７の前壁部７Ｂの内周面の形状が合致するものであればよい。
【００６８】
上述の第１実施形態では、５つの連結部５ｅのうち、２つの連結部５ｅで蓋片５ｄと横桟部５Ｈを連結し、３つの連結部５ｅで蓋片５ｄと換気口周縁部５ａとを連結し、第２実施形態では、２つの連結部５ｅで蓋片５ｄを横桟部５Ｈに対してのみ連結していたが、各実施形態における連結部５ｅの数はこれに限るものではなく、また、連結部５ｅを各蓋片５ｄと縦桟部５Ｇとを連結するように設けてもよい。
【００６９】
また、上述の第１実施形態では、それら５つの連結部５ｅのうち、蓋片５ｄと縦桟部５Ｇとを連結する２つの連結部５ｅのみを蓋部５Ｂの他の部位よりも機械的強度の低い脆弱部ｗにしてあったが、これに限るものではなく、蓋片５ｄの周縁部と換気口周縁部５ａとを連結する連結部５ｅを脆弱部ｗにしてもよい。
【００７０】
上述の第２実施形態では、蓋部５Ｂに給気ホース１Ｂ又は排気ホース１Ｃを挿通可能な大きさの特定部位である各蓋片５ｄの周囲に、その蓋片５ｄをそれに対応する換気口Ｍの一部又は全部を開放する状態に開き操作可能な開き手段Ｂとして、連結部５ｅを折り曲げ可能な構成にし、第３実施形態では、アリ溝５ｈと突起部５ｈとを両桟部５Ｇ，５Ｈと蓋片５ｄとのそれぞれに形成して脱着手段として構成したが、この構成に限るものではなく、その他種々の構成を採用することができる。
【００７１】
また、上述の第３実施形態における脱着手段として、４つの扇形状の蓋片５ｄを縦桟部５Ｇ及び横桟部５Ｈに形成されたアリ溝５ｇにスライド送入させる構成を挙げたが、これに限るものではなく、嵌め込み式の脱着手段やその他の構成の脱着手段を採用してもよい。
【００７２】
上述の第１、第２及び第３実施形態では、コーナーカバー５に対する換気カバー７の装着姿勢を保持する保持手段として、蓋部５Ｂの換気口周縁部５ａに形成された複数の係合凹部と換気カバー７の内周面の前壁部７Ｂに形成された係合凸部Ｐとから構成されていたが、保持手段の構成はこれに限るものではない。
【００７３】
上述の第１、第２及び第３実施形態では、排気用配管である給気ホース１Ｂ及び排気ホース１Ｃの両方を、蓋部５Ｂの２つの蓋片５ｄを分離して又は脱着して換気口Ｍ（小開口ｍ）に挿通させていたが、挿通させる排気用配管としては給気ホース１Ｂ又は排気ホース１Ｃのいずれか一方だけであってもよい。
【００７４】
上述の第１、第２及び第３実施形態では、蓋部５Ｂを構成する蓋片５ｄを扇形状に形成したが、その形状は扇形状に限るものではなく、任意の形状にすることができる。
【００７５】
また、蓋片５ｄの数も４つに限るものではなく、単数又は複数であればよい。
【００７６】
上述の第１、第２及び第３実施形態では、コーナーカバー５に対して換気カバー７を回転軸心上において固定する固定手段がビス１３、取付け凹部７Ｃ及びビス止め用筒部５ｆから固定手段が構成されているが、この構成に限らず、固定手段の構成は種々の構成であってもよい。
【００７７】
上述の第１、第２及び第３実施形態では、コーナーカバー５に対して換気カバー７を所定の装着姿勢に保持するための保持手段として、換気カバー７の内周面に形成した係合凸部Ｐと蓋部５Ｂの換気口周縁部５ａの外周面５ｃの周方向８箇所に形成した係合凹部Ｑとからなる係合部から構成されていたが、保持手段はこのような係合部の構成に限らず、種々の構成を採用することができるとともに、係合凹部Ｑの形成箇所の数は８箇所に限定されるものではない。
【図面の簡単な説明】
【００７８】
【図１】本発明の第１実施形態を示す断面図
【図２】自然換気による場合の使用状態を示す斜視図
【図３】強制換気手段による場合の使用状態を示す斜視図
【図４】コーナーカバーの平面図
【図５】蓋部のｖ−ｖ断面図
【図６】蓋部のｖｉ−ｖｉ断面図
【図７】換気カバーの断面図
【図８】換気カバーの内面図
【図９】コーナーカバーに対する換気カバーの装着姿勢を示す図
【図１０】本発明の第２実施形態を示す斜視図
【図１１】本発明の第３実施形態を示す斜視図
【図１２】第３実施形態の要部の拡大断面図
【符号の説明】
【００７９】
１Ａ      可撓性配管
１Ｂ      換気用配管
１Ｃ      換気用配管
１ａ      屈曲部分
２        壁
２ａ      壁外面
３        貫通孔
５        コーナーカバー
５Ａ      天井壁部
５Ｂ      蓋部
５Ｇ      他の部位（桟部）
５Ｈ      他の部位（桟部）
５ａ      他の部位
５ｄ      特定部位
５ｅ      分離指標部
５ｆ      固定手段
５ｇ      脱着手段
５ｈ      脱着手段
６        通気孔
７        換気カバー
７Ｃ      固定手段
７Ｄ      天井壁部
７ｂ      一端側開口
８        換気通路
１３      固定手段
Ｂ        開き手段
Ｍ        換気口
Ｐ        保持手段（係止部）
Ｑ        保持手段（係止部）
ｗ        脆弱部
Ｘ        回転軸心
【図１】
2006090462.tif 000003
【図２】
2006090462.tif 000004
【図３】
2006090462.tif 000005
【図４】
2006090462.tif 000006
【図５】
2006090462.tif 000007
【図６】
2006090462.tif 000008
【図７】
2006090462.tif 000009
【図８】
2006090462.tif 000010
【図９】
2006090462.tif 000011
【図１０】
2006090462.tif 000012
【図１１】
2006090462.tif 000013
【図１２】
2006090462.tif 000014